(57)【要約】【課題】液晶表示部と回路基板を有した携帯情報端末における組み立てを容易に行えるような構造を提供することが課題である。【解決手段】液晶表示部と回路基板とを液晶表示部の一端側で固定する第１の固定手段と、液晶表示部の他端側で液晶表示部と回路基板とケースとを共締めして固定する第２の固定手段と、液晶表示部の一端側に延在させた回路基板と前記ケースとを共締めする第３の固定手段とを有し、液晶表示部と回路基板とを固定した後ケースに固定するようにした。【選択図】　　　図３
2004038591.tif 000002
【特許請求の範囲】
【請求項１】
表示部の背面に回路基板を配し、一対のケースで覆った携帯情報端末において、
前記表示部と前記回路基板とを前記表示部の一端側で固定する第１の固定手段と、前記表示部と前記回路基板と前記ケースとを前記表示部の他端側で共に固定する第２の固定手段と、前記表示部の前記一端側に前記回路基板を延在させて設けた延在基板部と、前記延在基板部と前記ケースとを固定する第３の固定手段とを有し、前記表示部と前記回路基板とを前記ケースに固定するようにしたことを特徴とする携帯情報端末。
【請求項２】
前記第１から第３の固定手段を、一方のケース側から挿入したビスによるビス止め機構により構成したことを特徴とする請求項１に記載した携帯情報端末。
【請求項３】
前記一対のケースに係合用爪と該係合用爪を係止する係止部とからなる嵌合構造を設けたことを特徴とする請求項１または２に記載した携帯情報端末。
【請求項４】
前記回路基板の前記一端側と前記他端側とにそれぞれ設けた外部機器との接続用コネクタと、前記ケースの前記一端側と前記他端側とにそれぞれ設けたコネクタ用開口部とを備え、
前記接続用コネクタが前記コネクタ用開口部に略係止することにより、前記第１の固定手段により前記表示部を固定した回路基板を、前記ケースに保持できるようにしたことを特徴とする請求項１乃至３に記載した携帯情報端末。
【請求項５】
表示部と、前記表示部の背面に配した回路基板と、前面カバーと背面カバーとからなる一対のケースとを有する携帯情報端末において、
前記表示部と前記回路基板とを前記表示部の一端側で固定する第４の固定手段と、前記表示部と前記回路基板と前記背面カバーとを前記表示部の他端側にて背面から挿入したビスで共締め固定する第５の固定手段と、前記表示部の前記一端側に前記回路基板を延在させ、前記延在させた回路基板と前記前面カバーと前記背面カバーとを背面から挿入したビスで共締め固定する第６の固定手段とを有し、前記表示部と前記回路基板とを前記ケースに固定するようにしたことを特徴とする携帯情報端末。
【請求項６】
表示部と、前記表示部の背面に配した回路基板と、前面カバーと背面カバーと側面カバーとからなるケースとを有する携帯情報端末において、
前記表示部と前記回路基板とを前記表示部の一端側で固定する第４の固定手段と、前記表示部と前記回路基板と前記背面カバーとを前記表示部の他端側にて背面から挿入したビスで共締め固定する第５の固定手段と、前記表示部の前記一端側に前記回路基板を延在させ、前記延在させた回路基板と前記前面カバーと前記背面カバーとを背面から挿入したビスで共締め固定する第６の固定手段とを有し、前記第４から第６の固定手段により前記表示部と前記回路基板とを前記ケースに固定するようにすると共に、前記前面カバーと前記背面カバーとが前記ケースの下部側で前記第６の固定手段により固定され、前記前面カバーと前記背面カバーとが前記ケースの上部側で前記側面カバーにより固定されることを特徴とする携帯情報端末。
【発明の詳細な説明】
【０００１】
【発明の属する技術分野】
本発明は、手帳並みの大きさの個人向け携帯情報端末に関し、特に、組み立てが容易な構造を有し、安価に提供できる携帯情報端末に関するものである。
【０００２】
【従来の技術】
現在の個人向け携帯情報端末（ＰＤＡ：Ｐｅｒｓｏｎａｌ　Ｄｉｇｉｔａｌ　Ａｓｓｉｓｔａｎｔ）は、手帳並の大きさと重量でありながら、会社や自宅などのパソコンに収容したアドレス帳、スケジュール表、仕事関係のメモやファイルなど、種々のファイルの閲覧や作成の機能を持ち、さらにビデオや画像ファイルの閲覧機能、音楽プレイヤー機能、携帯電話などと連携させて電子メールやインターネット上のデータなどを閲覧する通信機能など、多くの機能を有するものが多くなっている。そしてこういった携帯情報端末は、常時胸ポケットやハンドバックなどに収容して持ち歩けるよう、小型化、薄型化が要望されていると共に低価格化が要望され、部品点数の減少と組み立て工数削減のために組み立ての容易性が要望されている。
【０００３】
しかしながらこういった携帯情報端末は、前記したような種々の機能を実現するため、比較的大きなＣＰＵ用のＩＣと周辺回路を有して回路基板が大型化し、一方、表示されたファイルや画像の視認性を良くするため、表示画面は３．５から４インチ程度の液晶が用いられている。そのため、携帯情報端末自体の小型化、薄型化を実現するためには、回路基板を液晶表示部と略同サイズに押さえると共に、これら液晶表示部や回路基板を収容する筐体が、これら液晶表示部や回路基板よりあまり大きくならないようにする必要があり、またコスト削減のためには、筐体への回路基板や液晶表示部の組み込みが容易に行えるようにする必要がある。
【０００４】
こういった携帯用機器における液晶表示部や回路基板の組み込みを容易にする技術としては、例えば特開２００２−５１３６９公報、特開２００２−７２２３５公報などには、携帯電話などの携帯用端末の組み立てに際し、液晶表示部側ケースに保持ピンを設けると共に液晶表示部と回路基板を係止部材で係止し、この保持ピンで保持することで、ケースを組み合わせるまで液晶表示部と回路基板を保持できるようにした構成や、フレキシブル基板上に半導体素子を実装して液晶パネルに接続した液晶モジュールを有する携帯電話において、フレキシブル基板を液晶表示部の背面に折り曲げ状態で配してハウジングに固定し、外部接続用に突起状電極を設けると共に、プリント基板への係止片を設け、前記突起状電極をプリント基板上の電極に差し込むと共に係止片で固定するようにした構成が示されている。
【０００５】
また特開２００１−１６８５５４公報には、筐体に制御基板を装着する段部を設けると共に基板におけるその段部に対応する部分に端子部を設け、基板を筐体に装着したとき、自動的に端子部で導電接続が行えるようにして機器を薄型化できるようにした携帯電話などの電子機器の構成が示されている。また特開２０００−３４９４６５公報には、液晶ディスプレイパネルを組み込んだカーナビやテレビ電話などの機器において、部品の実装範囲、放熱性などを確保するため、絶縁処理を施した金属製板金で作った保持部材の前後に液晶パネルと回路基板を取り付けてネジ止めし、保持部材による放熱と絶縁処理による基板への部品実装の自由度を増し、キャビネットへの取り付けを簡単に行えるようにした構造が示されている。
【０００６】
【発明が解決しようとする課題】
しかしながら特開２００２−５１３６９公報、特開２００２−７２２３５公報に示された構造は、携帯電話などの構造であって携帯情報端末とはその大きさが異なり、かつ、これらの構造は、液晶表示部側ケースに保持ピンを設けたりプリント基板への係止片を設けたりする複雑な構造であり、組み立ては容易かもしれないが部品点数が増えて高価にならざるを得ない。また特開２００１−１６８５５４公報に示された装置も携帯電話などの携帯情報端末よりは小さな電子機器の構成であり、この場合は筐体を構成する表ケースと裏ケースをネジ等で固定しないと基板や液晶表示装置は固定されず、組み立ての自動化は簡単ではない。また特開２０００−３４９４６５公報に示された装置は、絶縁処理を施した金属製板金で作った保持部材へ液晶パネルと回路基板を取り付けることによって液晶パネルと回路基板は一体化されるが、キャビネットへの取り付けは保持部材とキャビネットが別々のため、両者を別々に保持して行わねばならず、容易ではない。
【０００７】
またこういった携帯情報端末においては、筐体を側部から固定するようにしたものもあるが、こうすると例えば操作釦類を側部に配置することができないなど、操作性を左右するものの配置位置に制限が出る可能性がある。
【０００８】
上述の事情に鑑み本発明は、余計な部品を使わずに液晶表示部や回路基板をケースで保持できるようにし、かつ、ケースの組み立ても容易に行える構造を有した携帯情報端末を提供することが課題である。
【０００９】
【課題を解決するための手段】
そのため本発明においては、請求項１と５及び６に記載したように、
表示部の背面に回路基板を配し、一対のケースで覆った携帯情報端末において、
前記表示部と前記回路基板とを前記表示部の一端側で固定する第１の固定手段と、前記表示部と前記回路基板と前記ケースとを前記表示部の他端側で共に固定する第２の固定手段と、前記表示部の前記一端側に前記回路基板を延在させて設けた延在基板部と、前記延在基板部と前記ケースとを固定する第３の固定手段とを有し、前記表示部と前記回路基板とを前記ケースに固定するようにしたことを特徴とする。及び、表示部と、前記表示部の背面に配した回路基板と、前面カバーと背面カバーとからなる一対のケースとを有する携帯情報端末において、
前記表示部と前記回路基板とを前記表示部の一端側で固定する第４の固定手段と、前記表示部と前記回路基板と前記背面カバーとを前記表示部の他端側にて背面から挿入したビスで共締め固定する第５の固定手段と、前記表示部の前記一端側に前記回路基板を延在させ、前記延在させた回路基板と前記前面カバーと前記背面カバーとを背面から挿入したビスで共締め固定する第６の固定手段とを有し、前記表示部と前記回路基板とを前記ケースに固定するようにしたことを特徴とする。及び、表示部と、前記表示部の背面に配した回路基板と、前面カバーと背面カバーと側面カバーとからなるケースとを有する携帯情報端末において、
前記表示部と前記回路基板とを前記表示部の一端側で固定する第４の固定手段と、前記表示部と前記回路基板と前記背面カバーとを前記表示部の他端側にて背面から挿入したビスで共締め固定する第５の固定手段と、前記表示部の前記一端側に前記回路基板を延在させ、前記延在させた回路基板と前記前面カバーと前記背面カバーとを背面から挿入したビスで共締め固定する第６の固定手段とを有し、前記第４から第６の固定手段により前記表示部と前記回路基板とを前記ケースに固定するようにすると共に、前記前面カバーと前記背面カバーとが前記ケースの下部側で前記第６の固定手段により固定され、前記前面カバーと前記背面カバーとが前記ケースの上部側で前記側面カバーにより固定されることを特徴とする。
【００１０】
このように、表示部と回路基板とを固定手段で固定することにより、この固定した表示部と回路基板とをケースへ固定することが非常に簡単に行え、また第２、第３、または第５、第６の固定手段を共締めとすることにより、別々に固定する場合に比して固定手段の数が少なくなって低コストで構成できる。また、固定手段を設けるスペースを増やす必要がないからそれだけスペースの有効活用ができ、さらに、第３または第６の固定手段は回路基板を延在させた場所に設けたから、このスペースに、例えば振動モータやコネクタなどを設置するなどのことができる。また請求項５、６においては、前面カバーと背面カバーを共締めするようにしたから、ケース全てが第６の固定手段で固定され、それだけ効率的に表示部と回路基板とをケースへ固定することができる。さらに請求項６によれば、これら前面カバーと背面カバーにおける固定されていない上部側は側面カバーにより固定されるから、ケース全体が固定手段を増やすことなく固定することができ、携帯情報端末を安価に、また小型に構成できる。
【００１１】
そして固定手段は請求項２に記載したように、
前記第１から第３の固定手段を、一方のケース側から挿入したビスによるビス止め機構により構成したことを特徴とする。
【００１２】
このように固定手段の固定方向を、一方のケース側とすることにより、自動組み立てが非常にやりやすくなり、また、側部にこういった固定手段がないから、側部に操作釦類を配するなど、設計の自由度が増大する。
【００１３】
そしてケースは請求項３に記載したように、
前記一対のケースに係合用爪と該係合用爪を係止する係止部とからなる嵌合構造を設けたことを特徴とする。
【００１４】
このように、表示部と回路基板を覆う一対のケースを嵌合構造としたことにより、表示部と回路基板を固定する前にケース自体も固定され、自動組み立てが非常にやりやすくなる。
【００１５】
また請求項４に記載した発明は、
前記回路基板の前記一端側と前記他端側とにそれぞれ設けた外部機器との接続用コネクタと、前記ケースの前記一端側と前記他端側とにそれぞれ設けたコネクタ用開口部とを備え、
前記接続用コネクタが前記コネクタ用開口部に略係止することにより、前記第１の固定手段により前記表示部を固定した回路基板を、前記ケースに保持できるようにしたことを特徴とする。
【００１６】
このように、外部接続用のコネクタを用いて第１の固定手段で固定した表示部と回路基板をケースに保持させることにより、自動組み立てが非常にやりやすくなる。
【００１７】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１８】
図１は本発明の携帯情報端末の一実施形態を示した概略斜視図、図２は同じく背面から見た斜視図、図３は本発明の携帯情報端末における一実施形態の内部構造概略をそれぞれのユニットを分離した形で示した概略断面図、図４は本発明の携帯情報端末の一実施形態における液晶表示部側ケースの図、図５は同じく回路基板と液晶表示部を合体して液晶表示部側（Ａ）と回路基板側（Ｂ）から見た図、図６は同じく回路基板側カバーの図、図７は同じく回路基板側カバーを覆う下ケースの図、図８は本発明の携帯情報端末の一実施形態における各ユニットの組み立て図である。
【００１９】
図中１は本発明になる携帯情報端末、２は液晶表示部、３は電源釦、４は選択指示結果を一つ前の状態に戻す復帰用釦、５は液晶表示部２に表示された項目または機能の選択釦、６はこれら各釦部分のプラスチック製の側面カバー、７は選択釦５の誤動作防止用に側面カバー上に設けたハウジング突起、８、９、１０、１１はそれぞれの操作釦の操作方向、１２はアルミなどで形成した上ケース、１３は同じくアルミなどで形成した下ケース、１４はプラスチック製の上カバー、１５は同じくプラスチック製の下カバー、１６はコンパクトフラッシュ（登録商標名）等のメモリーカード、カード型モデム等の通信端末、またはマイクロハードディスクなど、各種のカード型機器を収納する収納スロットの差込口、１７は操作用のスタイラスペンなどの差込口、１８は散状突起若しくは凹部、１９は回路基板、２０は電池であり、このうち上ケース１２、上カバー１４が液晶表示部２側のケースを、下カバー１５、下ケース１３が回路基板１９側のケースを構成する。図３における３０、３１、３２はビス、図４における４０、４１はビス３１を螺合するネジ孔、４２、４３、４４は係合用爪、４５、４６、４７は係止部、図５における５０、５１、５２、５３、５４、５５はビス３０、３１、３２を通す貫通孔、５６は回路部品、５７は各種カード型機器の収納スロット、５８は液晶表示部２の支持枠、５９ａ、５９ｂは外部機器とのデータ交換に使ったりイヤホンなどを差し込むためのコネクタ、図６における６０、６１、６２、６３はビス３０、３１、３２を通す貫通孔、６４は下カバー１５に設けた係合用爪、６５は上カバー１４に設けた係止部と当接する下カバー１５に設けた凸部、６６、６７は下カバー１５に設けた係合用爪、６８は上カバー１４に設けた係止部と当接する下カバー１５に設けた段部、６９は電池収納部、図７における７０、７１、７２、７３はビス３０、３１、３２を通す孔である。
【００２０】
本発明になる携帯情報端末１は、その一実施例の外観を図１に示したように、３．５から４インチ程度の液晶表示部２、内部に収納した液晶表示部２や回路基板１９、電池２０などを保護する上ケース１２、下ケース１３、下カバー１５、他の側面に対して隆起して携帯情報端末１を保持したとき、その隆起によって操作釦類を配置した側であることを認識させる側面カバー６、また、図２に示したようにその側面カバー６とは逆側のサイドに散状突起、若しくは凹部を有した上カバー１４などで構成され、例えば左手で保持したとき、図２に示した上カバー１４の散状突起、若しくは凹部１８の存在と、図１に示した他の側面に対して隆起した側面カバー６の存在とによってその表裏、上下を間違えることなく液晶表示部２を上にして保持することができる。また、保持したときに親指を操作釦類３、４、５の所に容易に位置させることができ、そのため、本発明になる携帯情報端末１は、電話中などにハンドバックやポケットから取り出しても、表裏を間違えることなく、かつ、片手のみで内容の閲覧が可能である。
【００２１】
そして本発明の携帯情報端末１は、図８の組み立て図に示したように、液晶表示部２の背面に回路基板１９を配し、液晶表示部２側をプラスチック製の上カバー１４とアルミなどで形成した上ケース１２で構成される前面カバーで、回路基板１９側を電池２０の電池収納部を有したプラスチック製の下カバー１５とアルミなどで形成した下ケース１３で構成した背面カバーで覆って構成される。そしてこれら上カバー１４と下カバー１５は、液晶表示部２と回路基板１９を収容した状態で位置規制して嵌合できるように構成され、さらにこれら上カバー１４と下カバー１５の上部となる部分に側面カバー６が、これら上カバー１４と下カバー１５を嵌合させる方向に設けた係合用爪によってロックされるようになっている。
【００２２】
このうち液晶表示部側を覆う液晶表示部側ケースとしての上カバー１４は、図４に背面から見た図を示したように、下部に図３に示したビス３１を螺合するためのネジ孔４０、４１を有し、左側の側壁の縁部、及び右側下方の側壁の縁部に、４０、４１、４２で示した係合用爪と下カバー１５における側壁を受ける係止部４３、４４、４５が設けられ、さらに図８に示したように、外部機器とのデータ交換用やイヤホンなどのコネクタ５９ａ、５９ｂを差し込むための孔４８、４９が設けられている。
【００２３】
そして液晶表示部２と回路基板１９は、図５の回路基板１９と液晶表示部２を合体して液晶表示部側（Ａ）と回路基板側（Ｂ）から見た図に示したように、回路基板１９が液晶表示部２の上下に延在し、その延在部に液晶表示部２の支持枠５８、外部機器との接続用のコネクタ５９ａやイヤホンなどのコネクタ５９ｂ等が設けられている。また、この回路基板１９の図５（Ｂ）側には、各種カード型機器の収納用スロットと、その下部には比較的背の低い例えば５６で示したようなＩＣなどが搭載され、そして液晶表示部２との間に比較的背の高い回路部品が収容されている。そして、この液晶表示部２と回路基板１９は、回路基板１９側に設けた貫通孔５０、５１を通して図３に示したように、液晶表示部２側に設けられたネジ孔２にビス３２を螺合することで合体され、また、回路基板１９にはこの他下カバー１５、下ケース１３側からのビスを通すための貫通孔５２、５３、５４、５５が設けられている。
【００２４】
一方、この図５（Ｂ）に示した回路基板１９側を覆う下カバー１５は、図６に回路基板１９と接する側を示したように、電池収納部６９、下ケース１３側からのビスを通すための貫通孔６０、６１、６２、６３が設けられ、左側下方の側壁の縁部に、前記図４に４４で示した係合用爪と係合する係合用爪６４が、そして同じく側壁を受ける係止部４６に対応して側壁に凸部６５が設けられている。また右側壁の縁部には、前記図４に４２、４３で示した係合用爪と係合する係合用爪６６、６７が、同じく図４に４５、４６で示した係止部に対しては、側壁５６より一段内側に設けられた段部６８が当接するようになっている。
【００２５】
またアルミなどの金属で形成した下ケース１３は、図７に示したように、下カバー１５に収納した電池２０を覆い、携帯情報端末１の背面側から挿入するビスなどの固定具用の孔７０、７１、７２、７３を有して構成されている。
【００２６】
そしてこのように構成した各ユニットは、図３に示したように結合する。すなわちまず図５に示したように液晶表示部２と回路基板１９を、回路基板１９に設けられた貫通孔５０、５１を通して液晶表示部２側に設けられたネジ孔にビス３２を螺合して固定させる。そして、この固定した液晶表示部２と回路基板１９におけるコネクタ５９ａ、５９ｂを、図４に示した上カバー１４のコネクタ用孔４８、４９（図８参照）に差し込む。すると液晶表示部２と回路基板１９を固定したものは、このコネクタ５９ａ、５９ｂによって上カバー１４に保持される。
【００２７】
そしてこの状態で、今度は下カバー１５を上カバー１４と嵌合させる。これは、まず前記図４に示した係合用爪４２、４３に図６に示した係合用爪６６、６７を係合させると共に、図６に示した段部６８を図４に示した係止部４５、４６に当接させ、図５における係合用爪６４、凸部６５側を押圧すると、係合用爪６４が図４に示した係合用爪４４と係合すると共に凸部６５が図４に示した係止部４７に当接して位置規制され、嵌合する。なおこの状態では、上カバー１４の図４で右上部、及び図６で左上部における係合が無く、上カバー１４と下カバー１５の嵌合は簡単に外れるが、これら上カバー１４と下カバー１５を嵌合させる方向に係合用爪を設けた側面カバー６をこの上カバー１４と下カバー１５が嵌合している側部にはめ込むことによって、これら上カバー１４と下カバー１５は容易に外れないようになる。
【００２８】
このようにして上カバー１４と下カバー１５を嵌合させたら、下カバー１５の電池収納部６９に電池２０を収納し、最後に下ケース１３を背後に被せてビス３０を下カバー１５の貫通孔６０、６１、回路基板１９に設けた貫通孔５２、５３を通して液晶表示部２側に設けたネジ孔に螺合して共締めすると共に、ビス３１を下カバー１５の貫通孔６２、６３、回路基板１９に設けた貫通孔５４、５５を通して上カバー１４に設けたネジ孔４０、４１に螺合し、共締めして固定する。
【００２９】
すなわち本発明においては、液晶表示部２と回路基板１９をビス３２などで固定し、その固定した液晶表示部２と回路基板１９を上カバー１４にコネクタ５９ａ、５９ｂで保持させ、その後下カバー１５を上カバー１４に嵌合させて下ケース１３側からビスで共締めしたから、簡単な構成であるにもかかわらず止める部分が少なく、かつ、止める部分が全て背後であるから、ロボットなどを用いた組み立て作業が非常にやりやすくなる。
【００３０】
なお以上の説明では、液晶表示部２と回路基板１９の固定と下カバー１５、回路基板１９、上カバー１４の固定を背面側（液晶表示部２とは逆側）から行うとしたが、これはスペースに余裕が有れば液晶表示部２側から行っても良いことは自明である。
【００３１】
このように本発明によれば、表示部と回路基板とを固定手段で固定することにより、この固定した表示部と回路基板とをケースへ固定することが非常に簡単に行え、またこれら固定した表示部と回路基板とケースとを共締めとすることにより、別々に固定する場合に比して固定手段の数が少なくなって低コストで構成できる。また、固定手段を設けるスペースを増やす必要がないからそれだけスペースの有効活用ができ、さらに一つの固定手段は回路基板を延在させた場所に設けたから、このスペースに、例えば振動モータやコネクタなどを設置するなどのことができる。また、前面カバーと背面カバーとを共締めした場合は、ケース全てを固定手段で固定することができ、それだけ効率的に表示部と回路基板とをケースへ固定することができる。さらに側面カバーによって前面カバーと背面カバーを固定することにより、ケース全体が固定手段を増やすことなく固定することができ、携帯情報端末を安価に、また小型に構成できる。
【００３２】
そして固定手段を一方のケース側から挿入したビスによるビス止め機構としたことにより、自動組み立てが非常にやりやすくなり、また、側部に固定手段がないから、側部に操作釦類を配するなど、設計の自由度が増大する。
【００３３】
また、これら表示部と回路基板を覆う一対のケースを嵌合構造としたことにより、表示部と回路基板を固定する前にケース自体も固定され、自動組み立てが非常にやりやすくなる。
【００３４】
さらに回路基板の一端側と他端側に外部機器との接続用コネクタを設け、このコネクタを用いて固定した表示部と回路基板をケースに保持させることにより、自動組み立てが非常にやりやすくなる。
【００３５】
【発明の効果】
以上記載の如く本発明によれば、余計な部品を使わずに表示部や回路基板をケースで保持でき、その後、ケースとこれら表示部や回路基板を固定できるから、組み立てが容易でコストを低減できる携帯情報端末を提供することができる。
【図面の簡単な説明】
【図１】本発明になる携帯情報端末の一実施形態の概略斜視図である。
【図２】本発明になる携帯情報端末の一実施形態を背面から見た斜視図である。
【図３】本発明の携帯情報端末における一実施形態の内部構造をそれぞれのユニットを分離した形で示した概略断面図である。
【図４】本発明の携帯情報端末の一実施形態における液晶表示部側ケースの図である。
【図５】本発明の携帯情報端末の一実施形態における回路基板と液晶表示部を合体して液晶表示部側（Ａ）と回路基板側（Ｂ）から見た図である。
【図６】本発明の携帯情報端末の一実施形態における回路基板側カバーの図である。
【図７】本発明の携帯情報端末の一実施形態における回路基板側カバーを覆う下ケースの図である。
【図８】本発明の携帯情報端末の一実施形態における各ユニットの組み立て図である。
【符号の説明】
２　液晶表示部
１３　下ケース
１４　上カバー
１５　下カバー
１９　回路基板
２０　電池
３０、３１、３２　ビス
４０、４１　ネジ孔
５０、５１、５２、５３、５４、５５　貫通孔
５７　カード型機器収納スロット
５８　液晶表示部支持枠
５９ａ、５９ｂ　コネクタ
６０、６１、６２、６３　貫通孔
７０、７１、７２、７３　孔
【図１】
2004038591.tif 000003
【図２】
2004038591.tif 000004
【図３】
2004038591.tif 000005
【図４】
2004038591.tif 000006
【図５】
2004038591.tif 000007
【図６】
2004038591.tif 000008
【図７】
2004038591.tif 000009
【図８】
2004038591.tif 000010